(57)【要約】【課題】  磯等の釣りにおいて、サシエを表層のエサ取りから保護し、目的の魚の泳層まで送り届け。かつ、釣竿を利用して投入が可能であり、操作が簡単でシンプルな構造のカプセルを提供すること。【解決手段】  図１のとおり合成樹脂製の硬質で薄く、およそ半球に近い形のカプセルをウキとサルカンの間に遊動状態で装着し、サシエ、同種のエサを奥に、それを覆うようにコマセを収納し、カプセル中心から外に出た釣糸を開口部の投入用フックに掛けることで、釣竿の弾力を利用して投入でき、着水時にはフックから釣糸が外れ、開口部は下向きとなるがコマセの粘性のため放出されることなく沈降するカプセルは確実にエサ取りからサシエを保護し、目指す水深で釣竿等で少し釣糸を引くことでカプセルの中心周辺の孔から海水が流入し、内包のコマセ等を放出できるカプセルを利用する。【選択図】  図１
2006014715.tif 000002
【特許請求の範囲】
【請求項１】
合成樹脂製の硬質で薄く、およそ半球の形又は釣鐘状の形を成し、中心に釣糸を通す孔、開口部には釣竿を利用して投入可能にするため、内部にサシエ（付け餌）の付いた釣針、同種の餌及びコマセ（集魚材）等を収納し釣糸を通す孔から外側に出てきた釣糸を釣竿からの張力が掛かっているときのみ外れない程度（逆に釣竿からの張力が無くなったときは外れ易い。）の小さなフック（突起部）、そして釣糸を通す孔の周辺には海水を通す小さな孔を多数設けた、サシエをエサ取りの魚から保護し目的の海層で放出できることを特徴とするカプセル。
【請求項２】
請求項１のカプセルにおいて、釣糸を通す孔周辺に浮力を持たせるための発泡剤等を装着したカプセル。
【発明の詳細な説明】
【発明の詳細な説明】
【技術分野】
【０００１】この発明は、磯等でのウキふかせ釣りにおいて釣針に付けたエサ（以下「サシエ」という。）を表層にいるエサ取りの魚から守り、目的とする魚の泳層まで確実に送り届けることを目的とする。
【背景技術】
【０００２】現在、主に行われているエサ取りの魚からサシエを守る一般的に行われている方法は、サシエを投入したいポイントから離れたところにコマセを撒き、そこにエサ取りの魚を集めておいてから、目指すポイントにサシエを投入し、エサ取りの魚がそれを見逃すという偶然を期待するものであり、かつコマセの量もその分大量に必要となる。
また、既にサシエを保護する器具は発明されているが、できるだけシンプルで繊細な仕掛けを望む釣り人にとっては、いずれも複数の部品点数を要し複雑で、かつ重量を伴うものであった。そして、何よりも釣竿の弾力等を利用して目的とする離れたポイントに投入することが困難なものであった。
【特許文献１】特許公開平１０−１５０８９５
【特許文献２】特許公開平８−２９８９０８
【特許文献３】特許公開平１０−３２３１５０
【発明が解決しようとする課題】
【０００３】従来のウキふかせ釣りにおける仕掛け及びコマセをそのまま利用することで、部品点数を少なく、軽く、かつ操作を簡単にして、確実にエサ取りの魚からサシエを保護し、サシエを目的の魚の泳層まで送り届けること。また、魚の微細なアタリ（魚診）を感じ取ることを妨げず、かつ、従来どおり釣竿の弾力を利用して、仕掛けを離れたポイントに投入できることを課題とする。
【課題を解決するための手段】
【０００４】以上の課題を解決するために第１発明は、コマセの粘性を利用して、図１のとおり合成樹脂製の硬質で薄く、およそ半球の形又は釣鐘状をした形を成し、中心には糸通し孔３、開口部に左記の孔３から出た道糸５を釣竿からの張力が掛かっているときのみ外れない程度（逆に釣竿からの張力が無くなったときは外れ易い。）の小さな投入用フック２、そして中心周辺には海水を通すためめの海水通し孔４を多数有し、色は全体的に暗色であるが糸通し孔３の外側周近には明色を施したカプセル１を利用する。
【発明を実施するための最良の形態】
【０００５】図２のように従来のウキふかせ釣り仕掛けで、カプセル１の開口部が釣針側を向くように糸通し孔３に、ゴムクッション１０とオモリ１１の間に道糸５を通した（カプセル１はウキ９とオモリ１１の間で遊動となる。）仕掛けの構成とする。【０００６】次に、仕掛けの投入準備であるが、まずカプセル１の糸通し孔３内側にオモリ１１及びサルカン１２を密着させ一旦ハリス６を開口部から外へ出し、サシエ１４及び同種のエサ１５をカプセル１の奥に入れ、それを覆うようにコマセ１６（以下、サシエ１４及びコマセ１６を「サシエ等」という。）を少し強めに押し入れる。（コマセ１６の粘性のため、カプセル開口部が下方を向いてもすぐには中のコマセ等は落ちない。）【０００７】次に、カプセル１の糸通し孔３から出ている道糸５をカプセル開口部の投入用フック２に引っ掛け、【０００８】道糸５に釣竿からの張りを失わないように、従来のウキふかせ釣りの投入方法である釣竿の弾力を利用してふわりとオーバースローで狙いのポイントにカプセル１を投入する。（このとき、道糸５が開口部の投入用フック２に掛かっている間は、開口部は常に遠心力の内側を向いているため内包のコマセ等は放出されることはない。）投入用フック２に掛かった道糸５は、投入動作初期は釣竿からの張力があるため投入用フック２から外れることはないが、飛行途中、カプセル１の方が道糸５を先行したとき、張力は無くなっており、投入用フック２から道糸５は外れることとなる。【０００９】カプセル１の着水直前にはサミング（仕掛けの着水直前に、道糸を少し引いてウキ９よりウキ下部分を先行させる動作）を行わない、カプセル１はその重さのためウキ９を先行するのでの糸がからむことはない。着水後、カプセル１は開口部付近のコマセ１６の重さ及びウキ９からわずかに引く道糸５の抵抗により開口部が下向きになって沈降する。（道糸５が投入用フック２から外れたことの確認は、カプセル上部である糸通し孔３の外側周近の明色部分が着水時に上に位置したことを目視することでできる。）【００１０】開口部が下向きになって沈降している途中では、コマセの粘性のためコマセ等は放出されることはなく。ウキ９から下の部分が沈降してウキ９がウキ止め糸７に達したとき、ウキ９の浮力が道糸５を通してカプセル１を引くことになり、カプセル１の沈降にブレーキがかかり、内包のコマセ１６は海水が浸み込み柔らかくなっているため一期に放出され、同時にサシエ１４も同種のエサ１５と同調しながら放出され、目的とする海層まで送ることができる。【００１１】しかし、コマセ１６の粘性が強すぎ、又はコマセ１６の押し込み具合が強かったため、ウキ９の浮力によるカプセル１の沈降を止める作用だけではカプセル１から放出されなかったときは、ウキ９はカプセル内のコマセ等の重さで海中に引き込まれるので確認でき、この場合、釣竿等で道糸５を引くことによって、カプセル１は上方に引かれ海水通し孔４から海水が強く流入するので、内包のコマセ等を押し出すように放出させることができる。【００１２】また逆に、コマセ１６の粘りの強さ、又はコマセ１６の押し込み具合。及び釣竿による道糸５の引き具合を調整することで、海中を沈降するカプセル１に対してどの位置でコマセ等を放出するかを調整することができる。【００１３】次に、第２発明のカプセル１７は、カプセル１に対して糸通し孔３周辺に少し浮力を有しているものであり、潮の流れが速くないときに、より簡便に利用することができる。仕掛けの構成は図７のとおりで、コマセ等の収納は、オモリ１８及びサシエ１４を糸通し孔３に密着させ、糸通し孔３から出たハリス６を投入用フックに掛け、第１発明と同じように狙ったポイントに投入し、サシエ等の放出はカプセル１７自身の浮力とオモリ１８の作用によって行うものである。
【発明の効果】
【００１４】サシエ等を硬質のカプセル１に収納し、狙ったポイントに釣竿を利用しての投入を可能とし、沈降途中、サシエ１４を確実にエサ取りの魚から保護し、目的とする魚の泳層まで確実に送り届けることができる。また、カプセル内にコマセ１６、サシエ１４と共に同種のエサ１５も収納することで、同時に放出したときサシエ１４は同種のエサ１５とコマセ１６と同調して海中に漂うことになる。
【００１５】また、サシエ等を放出した後、魚がサシエ１４をくわえハリス６を下方に引いても、カプセル１はほぼサルカン１２からウキ９までの間で遊動状態にあるためカプセル１自身は引かれることなく、道糸５のみがカプセル１を通過していくので、魚にカプセル１があるがための違和感を与えることはなく、かつ釣り人は微細なアタリ（魚診）も従来通り釣り糸を通して感じ取ることができる。
【００１６】そして、カプセル１は水中ウキのように、目的とする泳層の潮を捉える機能も兼ね備える。
【発明が実施するための最良の状態】
【００１７】水深のある磯等におけるウキふかせ釣りにおいて、表層のエサ取りの魚が多くて、目的とする魚の泳層までサシエ１４を送り届けることが困難と思われ、釣果を期待できないとき、当発明のカプセル１のみを仕掛けに加えるだけで、即、利用可能であり。また、従来通り釣竿を利用して投入が可能であるため、目指すポイントの海層まで確実にサシエ等をエサ取りから保護し、かつコマセ１６と同調をさせて送り届けることができる。そのため、コマセ１６は目的とする地点にのみ投入すれば良く、エサ取りを分離するための投入は必要無く、コマセ１６の量を少量化することができる。
【図面の簡単な説明】
【００１８】
【図１】第１発明のカプセルにサシエ、エサ及びコマセを収納し、道糸を開口部フックに掛けた投入前の斜視図である。
【図２】第１発明のカプセルを利用した仕掛けの構成図である。
【図３】開口部フックを側面から見たカプセル側面図である。
【図４】開口部フックを正面から見たカプセル側面図である。
【図５】開口部を正面から見たカプセルの図である。
【図６】第１発明のカプセルに収納されたコマセ、エサ及びサシエが目指す海層において放出される図である。
【図７】第２発明のカプセルを利用した仕掛けの構成図である。
【図８】第２発明のカプセルにサシエ、エサ及びコマセを収納し、ハリスを開口部フックに掛けた投入前の斜視図である。
【符号の説明】
１  第１発明のカプセル            ２  投入用フック
３  糸通し孔                      ４  海水通し孔
５  道糸                          ６  ハリス
７  ウキ止め糸                    ８  半円シモリ
９  ウキ                        １０  ゴムクッション
１１  オモリ                      １２  サルカン
１３  釣針                        １４  サシエ
１５  サシエと同種のエサ          １６  コマセ
１７  第２発明のカプセル          １８  オモリ
【図１】
2006014715.tif 000003
【図２】
2006014715.tif 000004
【図３】
2006014715.tif 000005
【図４】
2006014715.tif 000006
【図５】
2006014715.tif 000007
【図６】
2006014715.tif 000008
【図７】
2006014715.tif 000009
【図８】
2006014715.tif 000010